(57)【要約】      （修正有）【課題】  本発明は電線等への取付けを工具を用いることなく簡単に行なうことができるとともに、開口部の直径とほぼ同じ径の電線等にでも取付けることができる鳥害防止具を得るにある。【解決手段】  バー部材２と、このバー部材２の少なくとも両端部の上部より上方へ突出するように形成された板状の糸取付片４と、この少なくとも両端部の糸取付片４に取付けられた、鳥がバー部材２で休止するのを防止する糸５と、バー部材２の両端部の下部より下方へ突出し、下端部に半円弧状の支持部６が形成された一対の支持バー７と、この一対の支持バー７の半円弧状の支持部６内に電線等を挿入後支持部６にそれぞれ着脱可能に係合させる係合手段１１を介して取付けられる上部が半円弧状の支持部１３が形成され下部にバー部材１４を介して重り１５が設けられた一対のカバー体１６とで鳥害防止具１を構成している。【選択図】  図１
2007312610.tif 000002
【特許請求の範囲】
【請求項１】
バー部材と、このバー部材の少なくとも両端部の上部より上方へ突出するように形成された板状の糸取付片と、この少なくとも両端部の糸取付片に取付けられた、鳥が前記バー部材で休止するのを防止する糸と、前記バー部材の両端部の下部より下方へ突出し、下端部に半円弧状の支持部が形成された一対の支持バーと、この一対の支持バーの半円弧状の支持部内に電線等を挿入後、該支持部にそれぞれ着脱可能に係合させる係合手段を介して取付けられる上部が半円弧状の支持部が形成され、下部にバー部材を介して重りが設けられた一対のカバー体とからなることを特徴とする鳥害防止具。
【請求項２】
十字状のバー部材と、このバー部材の少なくとも両端部の上部より上方へ突出するように形成された板状の糸取付片と、この少なくとも両端部の糸取付片に取付けられた、鳥が前記バー部材で休止するのを防止する糸と、前記バー部材の両端部の下部より下方へ突出し、下端部に半円弧状の支持部および下端部の一方にＴ字状の係止片、他方に係止孔が形成された一対の支持バーと、この一対の支持バーの半円弧状の支持部内に電線等を挿入後、前記係止片に係止される係合部、前記係止孔に挿入される係止片が上部両端部に形成された半円弧状の支持部およびこの支持部の下部にバー部材を介して重りが設けられた、着脱可能に取付けられる一対のカバー体とからなることを特徴とする鳥害防止具。
【請求項３】
バー部材のほぼ中央部の上部には糸取付片が形成され、下部には半円弧状の電線等の支持部が形成されていることを特徴とする請求項１または請求項２記載の鳥害防止具。
【発明の詳細な説明】
【技術分野】
【０００１】
本発明は電線等に鳥が止まるのを阻止することができる鳥害防止具に関する。
【背景技術】
【０００２】
従来の鳥害防止具は軸心が同一で、かつ電線等を通すための２つ以上のリング体と、これらのリング体と一体に形成され、かつ、これらのリング体の周面外方で各リング体を連結する連結部と、リング体の軸心に対して連結部と対称位置に設けられ、かつリング体と一体に形成されているアーム部とを備え、前記アーム部のうち左右の両端に位置するリング体に設けられているアーム部は、その先端をこれらのリング体の距離よりも短い距離となるような位置にまで延ばして設けられているとともに、各アーム部の先端近辺には磁石が固定されて構成されている。
【０００３】
このため、電線等に取付ける場合には閉止リングをボルトで固定しなければならず、高所での作業では危険で、手数がかかるという欠点があるとともに、閉止リングは円筒のほぼ９０度しか開口しないため、内部へ電線等を挿入する作業が大変で、電線等の径が大きいとリングの内部に電線等を挿入することができないという欠点があった。
【特許文献１】特開２０００−２０１６１２
【発明の開示】
【発明が解決しようとする課題】
【０００４】
本発明は以上のような従来の欠点に鑑み、電線等への取付けを工具を用いることなく簡単に行なうことができるとともに、開口部の直径とほぼ同じ径の電線等にでも取付けることができる鳥害防止具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はバー部材と、このバー部材の少なくとも両端部の上部より上方へ突出するように形成された板状の糸取付片と、この少なくとも両端部の糸取付片に取付けられた、鳥が前記バー部材で休止するのを防止する糸と、前記バー部材の両端部の下部より下方へ突出し、下端部に半円弧状の支持部が形成された一対の支持バーと、この一対の支持バーの半円弧状の支持部内に電線等を挿入後、該支持部にそれぞれ着脱可能に係合させる係合手段を介して取付けられる上部が半円弧状の支持部が形成され、下部にバー部材を介して重りが設けられた一対のカバー体とで鳥害防止具を構成している。
【発明の効果】
【０００７】
以上の説明から明らかなように、本発明にあっては次に列挙する効果が得られる。
【０００８】
（１）バー部材と、このバー部材の少なくとも両端部の上部より上方へ突出するように形成された板状の糸取付片と、この少なくとも両端部の糸取付片に取付けられた、鳥が前記バー部材で休止するのを防止する糸と、前記バー部材の両端部の下部より下方へ突出し、下端部に半円弧状の支持部が形成された一対の支持バーと、この一対の支持バーの半円弧状の支持部内に電線等を挿入後、該支持部にそれぞれ着脱可能に係合させる係合手段を介して取付けられる上部が半円弧状の支持部が形成され、下部にバー部材を介して重りが設けられた一対のカバー体とで構成されているので、電線等を一対の支持バーの支持部内に位置させ、一対のカバー体を係合手段で係合させることにより取付けることができる。
したがって、従来のようなボルトの螺合作業に比べ、安全で、簡単な楽な作業で取付けることができる。
【０００９】
（２）前記（１）によって、上部の糸取付片には糸が取付けられているので、鳥がバー部材で休止しようとしても、糸にじゃまされて休止するのを効率よく防止することができる。
【００１０】
（３）前記（１）によって、バー部材は取付けられる電線等を中心に回転可能で、通常時は一対のカバー体の重りによって、糸を上部に位置させることができ、鳥の休止を確実に防止できるとともに、雪が付着した場合には重量バランスがくずれると回転し、付着した雪を落下させることができる。
【００１１】
（４）前記（１）によって、一対の支持バーの支持部は半円弧状に形成されているので、該支持部に支持部のほぼ直径に近い寸法の電線等を挿入しても、一対の支持バーに一対のカバー体を取付けることができる。
したがって、電線等に取付けることができる電線等の太さの範囲を拡大することができる。
【００１２】
（５）請求項２も前記（１）〜（４）と同様な効果が得られるとともに、軽量で十分な強度が得られるバー部材を使用することができる。
【００１３】
（６）請求項３も前記（１）〜（４）と同様な効果が得られるとともに、比較的長い寸法にしても、中央部の糸取付片および支持部によって、確実に同様な効果が得られるようにできる。
【発明を実施するための最良の形態】
【００１４】
以下、図面に示す本発明を実施するための最良の形態により、本発明を詳細に説明する。
【００１５】
図１ないし図１０に示す本発明を実施するための最良の第１の形態において、１はケーブルや電線等に鳥が休止するのを防止する本発明の鳥害防止具で、この鳥害防止具１は十字状のバー部材２と、このバー部材２の両端部および中央部の上部より上方へ突出するように形成された複数個の糸巻き溝３、３、３、３がそれぞれ形成された板状の糸取付片４、４、４と、この糸取付片４、４、４に取付けられた、鳥が前記バー部材２で休止するのを防止する繊維糸、合成糸、テグス等の糸５、５と、前記バー部材２の両端部の下部より下方へ突出し、下端部に半円弧状の支持部６が形成された一対の支持バー７、７と、この一対の支持バー７、７の支持部６の下端部の一方の外壁６ａのほぼ中央部に一体形成されたＴ字状の係止片８および、前記支持部６の下端部の他方の外壁６ａより外方へ突出する係止孔９が形成された係止片１０とからなる係合部１１と、前記一対の支持バー７、７の半円弧状の支持部６、６内に電線等１２を挿入後、着脱可能に取付けられる上部に半円弧状の支持部１３が形成され、該支持部１３の下部ほぼ中央部より下方へ突出するバー部材１４を介して重り１５が取付けられた一対のカバー体１６、１６と、この一対のカバー体１６、１６の支持部１３、１３の上端部の一方の外壁１３ａに一体形成された、前記係止片８と回動可能に係止されるＣ字状の係合部１７および上端部の他方の外壁１３ａより上方へ突出し、前記係止片１０の係止孔９へ挿入され、係止される突片１８を有する係止片１９とからなる係合部２０と、前記バー部材２のほぼ中央部の下部に一体形成された、前記一対の支持バー７、７の支持部６と同形状の中央支持部２１と、前記一方の支持バー７の支持部６および一方のカバー体１６の支持部１３の外側面に一体形成された外側面にフランジ２２、２２が形成された半円弧状の接続片２３、２３とで構成されている。
【００１６】
上記構成の鳥害防止具１は糸取付片４、４、４に糸５、５を張った状態で取付け、この状態で取付ける部位の電線等１２を一対の支持バー７、７の支持部６、６および中央支持部２１に支持させる。
しかる後、一対の支持バー７、７の係止片８、８と一対のカバー体１６、１６の係合部１７、１７とを着脱可能に取付ける。
この場合、一対の支持バー７、７の係止片８、８に一対のカバー体１６、１６の係合部１７、１７を回動可能に係合させた後、一対のカバー体１６、１６の係止片１９、１９を一対の支持バー７、７の係止片１０、１０の係止孔９、９へ挿入することにより取付けることができる。
【００１７】
複数個の鳥害防止具１を直列状態で取付ける場合には、電線等１２に取付けられた鳥害防止具１の接続片２３、２３に接続する鳥害防止具１の一方の支持バー７の支持部６と一方のカバー体１６の支持部１３を位置させて係合部１１、２０を着脱可能に係合させることにより、直列状態に接続することができる。
このようにして取付けられた鳥害防止具１は重り１５、１５によって、常時糸５、５の取付け部位が上方に位置した状態を保つことができるとともに、電線等１２を中心に回動可能に取付けることができる。
[発明を実施するための異なる形態]
【００１８】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図１１ないし図１３に示す本発明を実施するための第２の形態において、前記本発明を実施するための最良の第１の形態と主に異なる点は、中央支持部および中央部の糸取付片のない支持バー２Ａを用いた点で、このように構成した鳥害防止具１Ａにしても、前記本発明を実施するための最良の第１の形態と同様な作用効果が得られる。
【００２０】
図１４ないし図１６に示す本発明を実施するための第３の形態において、前記本発明を実施するための最良の第１の形態と主に異なる点は、一対の支持バー７、７と一対のカバー体１６、１６とを薄肉のヒンジ部２４、２４で接続して一体形成した点で、このように構成した鳥害防止具１Ｂにしても、前記本発明を実施するための最良の第１の形態と同様な作用効果が得られる。
なお、本発明を実施する形態では十字状のバー部材を用いたが、本発明はこれに限らず、丸棒やパイプ材を用いてもよい。
【産業上の利用可能性】
【００２１】
本発明は鳥害防止具を製造する産業で利用される。
【図面の簡単な説明】
【００２２】
【図１】本発明を実施するための最良の第１の形態の正面図。
【図２】本発明を実施するための最良の第１の形態の平面図。
【図３】本発明を実施するための最良の第１の形態の右側面図。
【図４】本発明を実施するための最良の第１の形態の左側面図。
【図５】本発明を実施するための最良の第１の形態の背面図。
【図６】本発明を実施するための最良の第１の形態の底面図。
【図７】本発明を実施するための最良の第１の形態のカバー体を分離した状態の拡大右側面図。
【図８】本発明を実施するための最良の第１の形態の取付け状態を示す説明図。
【図９】図８の９−９線に沿う拡大断面図。
【図１０】本発明を実施するための最良の第１の形態の接続した取付け状態を示す説明図。
【図１１】本発明を実施するための第２の形態の正面図。
【図１２】本発明を実施するための第２の形態の平面図。
【図１３】本発明を実施するための第２の形態の側面図。
【図１４】本発明を実施するための第３の形態の正面図。
【図１５】本発明を実施するための第３の形態の平面図。
【図１６】図１４の１６−１６線に沿う断面図。
【符号の説明】
【００２３】
１、１Ａ、１Ｂ：鳥害防止具、    ２、２Ａ：バー部材、
３：糸巻き溝、                                ４：糸取付片、
５：糸、                                            ６：支持部、
７：支持バー、                                ８：係止片、
９：係止孔、                                                １０：係止片、
１１：係合部、                                １２：電線等、
１３：支持部、                                １４：バー部材、
１５：重り、                                                １６：カバー体、
１７：係合部、                                １８：突片、
１９：係止片、                                ２０：係合部、
２１：中央支持部、                                    ２２：フランジ部、
２３：接続片、                                ２４：ヒンジ部材。
【図１】
2007312610.tif 000003
【図２】
2007312610.tif 000004
【図３】
2007312610.tif 000005
【図４】
2007312610.tif 000006
【図５】
2007312610.tif 000007
【図６】
2007312610.tif 000008
【図７】
2007312610.tif 000009
【図８】
2007312610.tif 000010
【図９】
2007312610.tif 000011
【図１０】
2007312610.tif 000012
【図１１】
2007312610.tif 000013
【図１２】
2007312610.tif 000014
【図１３】
2007312610.tif 000015
【図１４】
2007312610.tif 000016
【図１５】
2007312610.tif 000017
【図１６】
2007312610.tif 000018